(57)【特許請求の範囲】
【請求項１】
ほぼ筒状の筒状部と、該筒状部に軸方向に間隔をおいて並設形成した複数のマニホールド通路出口とを有する外筒と、
該外筒の内側に配設された筒状部と、該筒状部の外周に軸方向に間隔をおいて並設形成した複数の鍔状通路壁を有する内筒とを具備し、
隣り合う通路壁同士と外筒の周壁とで区画された空間がマニホールド通路を構成して前記マニホールド通路出口の対応する一つずつに連通するように外筒に内筒が挿入配設され、
かつ、内筒が、外筒の前記マニホールド通路出口の上部内壁面とつながる遮断壁を外周に備えており、更に、該遮断壁に近接して、遮断壁に対して前記マニホールド通路出口の上流側にあたる筒状部分に各マニホールド通路に対応してそれぞれマニホールド通路入口を設けたことを特徴とするインテークマニホールド。
【請求項２】
内筒の内側にエンジンの運転条件に応じて回動する円筒状のロータリ弁を設けると共に、内筒の筒状部の前記遮断壁と前記マニホールド通路入口の間に第２のマニホールド通路入口を設け、エンジンの高速回転時にはロータリ弁を通じて第２のマニホールド入口と連通する吸気通路が形成されることを特徴とする請求項１記載のインテークマニホールドを備えた吸気制御装置。
【請求項３】
内筒の通路壁の外周に形成された嵌合部と、外筒の内周面に形成されて前記通路壁外周の嵌合部と嵌合する別の嵌合部とからなる外筒に対する内筒の軸方向の位置決めと両筒間のシールを行う嵌合部の組み合わせと、
外筒に対する内筒の円周方向の位置決めを行う嵌合部とを具備したことを特徴とする請求項１または２記載の吸気制御装置。
【請求項４】
内筒筒状部の外側まわりにエンジンの気筒数と同数のマニホールド通路を並設形成し、内筒の内側空間に連通するよう、マニホールド通路入口と第２のマニホールド通路入口を設け、内筒内に挿入されて回転し、マニホールド通路入口を選択的に開閉連通するロータリ弁を備えた吸気装置であって、
マニホールド通路入口と第２のマニホールド通路入口で２分される内筒内周の距離の短い側で、ロータリ弁の外周側と内筒筒状部の内周側の一部が当接して該外周と内周の隙間をシールすることを特徴とする吸気制御装置。
【請求項５】
外周端側が外筒の内面に接してマニホールド通路形成側に湾曲する通路壁を有する内筒を備えたことを特徴とする請求項１記載のインテークマニホールド。
【請求項６】
内筒の通路壁の外周端側を外筒の内側に接してマニホールド通路形成側に湾曲する形状に形成するのに、内筒単品状態で、通路壁の外周端側の湾曲該当部位に、所定形状につくられかつ加熱機によって加熱した金具を押し当てて形状形成することを特徴とするインテークマニホールド用内筒の製造方法。
【発明の詳細な説明】
【０００１】
【発明の属する技術分野】
本発明は内燃機関、特に多気筒エンジンのインテークマニホールドと吸気制御装置及びその製造方法に関する。
【０００２】
【従来の技術】
内燃機関では、吸気の充填効率を高めて出力の向上を図る上で、いわゆる吸気慣性効果を利用することが有効で、吸気通路断面積が一定の場合、該効果が最も効果的に得られる吸気通路の長さはエンジン回転数の上昇に従って短くなる。
【０００３】
そこで、エンジン回転数に応じて作動する円筒形のロータリ弁を設け、このロータリ弁の円周（外周）を囲む気筒数だけの渦巻状吸気通路に所要の燃焼空気を分配する吸気制御装置が特開昭６０−２１６０６４号公報で公知である。
【０００４】
この吸気制御装置では、ロータリ弁の外周に、該ロータリ弁と同軸状に円筒状のケーシングが設けられている。そしてこのケーシングの上方からエンジンの気筒数と同数の分岐管が分岐されており、該分岐管がシリンダヘッドに固着されて各気筒の吸気ポートにそれぞれ接続され、これによりエアクリーナからロータリ弁と渦巻状の吸気通路を経て各気筒に至る吸気系が構成されている。
【０００５】
【発明が解決しようとする課題】
前記従来の技術では、ロータリ弁の外周に設けられる円筒状のケーシングと該ケーシングから分岐する複数の分岐管が一体的に形成されてインテークマニホールドを構成しており、かつ各分岐管がロータリ弁の外周を囲む渦巻状の吸気通路を形成しているため、ケーシングと分岐管を製作するのに中子溶融成形で作られる一体品を利用することが考えられる。特に車輌軽量化のために、上記部品を樹脂化する場合にこのような要求が強い。
【０００６】
ところが、中子溶融成形によるケースと分岐管（つまりインテークマニホールド）の成形は中子の製作とか、成形後の中子の溶融工程等の面倒な作業を要し、製作が簡便化されないという問題点があった。
【０００７】
また、ロータリ弁の回転に必要な隙間からの吸気の洩れによる吸気慣性効果の低下という問題点もあった。
そこで本発明はかかる問題点を解消できるインテークマニホールドと吸気制御装置及びその製造方法を提供することを目的とする。
【０００８】
【課題を解決するための手段】
前記目的を達成するために、請求項１の発明は、
ほぼ筒状の筒状部（２ａ）と、該筒状部（２ａ）に軸方向に間隔をおいて並設形成した複数のマニホールド通路出口（２ｄ）とを有する外筒（２）と、
該外筒（２）の内側に配設された筒状部（３ａ）と、該筒状部（３ａ）の外周に軸方向に間隔をおいて並設形成した複数の鍔状通路壁（３ｂ）を有する内筒（３）とを具備し、
隣り合う通路壁（３ｂ）同士と外筒（２）の周壁とで区画された空間がマニホールド通路（６）を構成して前記マニホールド通路出口（２ｄ）の対応する一つずつに連通するように外筒（２）に内筒（３）が挿入配設され、
かつ、内筒（３）が、外筒（２）の前記マニホールド通路出口（２ｄ）の上部内壁面（２ｄ″）とつながる遮断壁（３ｃ）を外周に備えており、更に、該遮断壁（３ｃ）に近接して、遮断壁（３ｃ）に対して前記マニホールド通路出口（２ｄ）の上流側にあたる筒状部分に各マニホールド通路（６）に対応してそれぞれマニホールド通路入口（３ｄ）を設けたことを特徴とするインテークマニホールドである。
【０００９】
請求項２の発明は、請求項１のインテークマニホールドを備えた吸気制御装置であって、
内筒（３）の内側にエンジンの運転条件に応じて回動する円筒状のロータリ弁（１７）を設けると共に、内筒（３）の筒状部（３ａ）の前記遮断壁（３ｃ）と前記マニホールド通路入口（３ｄ）の間に第２のマニホールド通路入口（３ｅ）を設け、エンジンの高回転時にはロータリ弁（１７）を通じて第２のマニホールド入口（３ｅ）と連通する吸気通路が形成されることを特徴とするものである。
【００１０】
請求項３の発明は、
内筒（３）の通路壁（３ｂ）の外周に形成された嵌合部（３ｂ′）と、外筒（２）の内周面に形成されて前記通路壁外周の嵌合部（３ｂ′）と嵌合する別の嵌合部（２ａ′）とからなる外筒（２）に対する内筒（３）の軸方向の位置決めと両筒（２）（３）間のシールを行う嵌合部の組み合わせ（８）と、
外筒（２）に対する内筒（３）の円周方向の位置決めを行う嵌合部（９）とを具備したことを特徴とする請求項１または２の吸気制御装置である。
【００１１】
請求項４の発明は、内筒筒状部（３ａ）の外側まわりにエンジンの気筒数と同数のマニホールド通路（６）を並設形成し、内筒（３）の内側空間に連通するよう、マニホールド通路入口（３ｄ）と第２のマニホールド通路入口（３ｅ）を設け、内筒（３）内に挿入されて回転し、マニホールド通路入口（３ｄ）（３ｅ）を選択的に開閉連通するロータリ弁（１７）を備えた吸気制御装置であって、
マニホールド通路入口（３ｄ）と第２のマニホールド通路入口（３ｅ）で２分される内筒内周の距離の短い側で、ロータリ弁（１７）の外周側と内筒筒状部（３ａ）の内周側の一部が当接して該外周と内周の隙間をシールすることを特徴とする吸気制御装置である。
【００１２】
請求項５の発明は、請求項１のインテークマニホールドにおいて、外周端側（３ｂｂ）が外筒（２）の内面に接してマニホールド通路（６）形成側に湾曲する通路壁（３ｂ）を有する内筒（３）を備えたことを特徴とするものである。
【００１３】
そして、請求項６の発明は、内筒（３）の通路壁（３ｂ）の外周端側（３ｂｂ）を外筒（２）の内側に接してマニホールド通路（６）形成側に湾曲する形状に形成するのに、内筒（３）単品状態で、通路壁（３ｂ）の外周端側（３ｂｂ）の湾曲該当部位に、所定形状につくられかつ加熱機によって加熱した金具（５２）を押し当てて形状形成することを特徴とするインテークマニホールド用内筒の製造方法である。
【００１４】
【発明の実施の形態】
次に本発明の好ましい実施の形態をいくつかの実施例に基づいて説明する。
〔実施例１〕
図１（ａ）（ｂ）、図２及び図３（ａ）（ｂ）において、１はインテークマニホールドで、樹脂製の外筒２に樹脂製の内筒３を挿入嵌合して、図示左端に円板形の外筒蓋４を嵌めてその外周を外筒２に溶着してシールしてある。符号４′はこのシール部を示す。
【００１５】
外筒２は大径の円筒形筒状部２ａと小径の円筒部２ｂとが段部２ｃを介して一体的に形成されている。２ｄは筒状部２ａに形成されたマニホールド通路出口で、外筒２の軸方向に所定の間隔をおいて４気筒エンジン用として４個並設されている。２ｅはマニホールド通路出口２ｄを図示されてないエンジンの各気筒の吸気ポートへそれぞれ接続するためのフランジで外筒２に一体成形されている。
【００１６】
マニホールド通路出口２ｄを構成する分岐管部の壁面内周の一部は、図１（ｂ）に示す断面において、筒状部２ａの内周２ａ″の接線２ｄ′で形成されている。そのため前記分岐管部は図１（ｂ）では左右方向の直管部として示されている。
【００１７】
内筒３はほぼ円筒形の筒状部３ａと、該筒状部３ａの外周に軸方向に間隔をおいて５個の鍔状通路壁３ｂを一体的に樹脂成形されており、かつこの内筒３を外筒２の筒状部２ａに挿入嵌合した状態で、前記分岐管の図１（ｂ）における図示上部内壁面２ｄ″とつながる壁面を有する遮断壁３ｃを備えている。この遮断壁３ｃの図１（ｂ）における壁面３ｃ′は同図では左右方向の直線で示され、筒状部３ａの図１（ｂ）における外周円弧部分の接線になっている。３ｄは内筒３の筒状部３ａの図１（ｂ）における遮断壁３ｃのすぐ上部に設けたマニホールド通路入口で、筒状部３ａの内側に形成されたサージタンク５の空気を外筒２の筒状部２ａと内筒３の通路壁３ｂ及び筒状部３ａで区画された４個のマニホールド通路６へそれぞれ導く。
【００１８】
マニホールド通路６は図１（ｂ）の横断面図において、内筒３の筒状部３ａの外周をほぼ１周回する円弧状に形成され、本実施例ではほぼ３１５°の円周角に亘って形成され、その下流は、マニホールド通路出口２ｄに連通する直線状通路７に接続されている。
【００１９】
外筒２の筒状部２ａは図３（ａ）に拡大図示するように符号θで示す角度を有し、これにほぼ同様の角度を有する内筒３の通路壁３ｂを容易に挿入してインテークマニホールド１を組み立てる。
【００２０】
筒状部２ａの内周には環状の凹溝２ａ′が５つ刻設され、これに対応して通路壁３ｂの外周に環状の凸条３ｂ′が形成されている。従って、図３（ａ）に示す矢印Ａのように内筒３を外筒２内へ挿入すると凸条３ｂ′が対応する凹溝２ａ′内へ嵌合しスナップアクションでしっくりと嵌着され、両筒内の気密シールが保たれ、各気筒に連通するインテークマニホールド通路６同士の間の漏れが防止される。
【００２１】
こうして、凹溝２ａ′に凸条３ｂ′が嵌合した図３（ｂ）の状態では嵌合部としての凹溝２ａ′と凸条３ｂ′からなる嵌合部の組み合わせ８によって、外筒２と内筒３間の気密シールが保たれるばかりでなく、両筒相互の軸方向の位置決めがされる。
【００２２】
なお、図１（ｂ）に示すように、外筒２の筒状部２ａの内周に突出し紙面に直角な軸方向に延びる凸条と、この凸条に嵌合すべく遮断壁３ｃの図示左端面に形成した凹溝…この凹溝は紙面に直角な軸方向に延びる…とからなる嵌合部９が外筒２に対する内筒３の円周方向の位置決めを行う。
【００２３】
外筒２と内筒３の軸方向や円周方向の相対的位置決めとかシールのための嵌合用凹凸は、必要な位置に必要な個数、適切な形状で設ければ良い。
こうすることで、マニホールド通路出口２ｄを形成する分岐管の上部内壁面２ｄ″と遮断壁３ｃの壁面３ｃ′とが図１（ｂ）に示すように一直線上に面一となり、吸気が滑らかに抵抗無く流れる。
【００２４】
また、前記軸方向の位置決め用の嵌合部の組み合わせ８も同様に吸気抵抗の発生を抑える。
また、この実施例では、外筒２と内筒３の円周方向の位置決め用として、図１（ａ）に示すように、内筒３の右端面に形成した凸部と、外筒２の段部２ｃに形成した凹部とを互いに嵌合させてなる嵌合部１０，１０を追加して設けてある。
【００２５】
１１は外筒２の小径の円筒部２ｂに挿入固定したスロットルボデーで、スロットルバルブ１２を取り付けたスロットルシャフト１３を回動可能に軸承している。１４はスロットル開度を検出して電気信号に変換するスロットルセンサ、１５は外筒２とスロットルボデー１１との間の気密シールである。
【００２６】
符号１６で示す空気流入口から流入した空気はスロットルバルブ１２を通過してサージタンク５に入る。そして、各マニホールド通路入口３ｄを通って対応するマニホールド通路６に入り、筒状部３ａの周りをほぼ１周回の円周角だけ図１（ｂ）における時計方向に周回して、それぞれのマニホールド通路出口２ｄから図示されてない各気筒の吸気ポートへと導かれる。
【００２７】
〔実施例２〕
図４（ａ）（ｂ）と図５に示す実施例２は、前記実施例１の一部を変形したものである。
【００２８】
図４（ａ）には、鍔状通路壁３ｂの外周端側をマニホールド通路６側にそれぞれ湾曲した分岐壁３ｂｂを有する内筒３が示してある。同図（ｂ）は、同図（ａ）に示す内筒３を外筒２の円筒形筒状部２ａの内側に挿入組み付けした状態を示す。
【００２９】
分岐壁３ｂｂの湾曲により、マニホールド通路６を、鋭角が少ない、より円形断面に近づけている。分岐壁３ｂｂの湾曲により、マニホールド通路６間の分岐壁３ｂｂ間には空間５０が生じる。
【００３０】
本実施例では、マニホールド通路６の断面が、鋭角部が少なくなることで、吸気の流れ損失が小さくなり、一層の出力向上に役立つ。
また、空間５０は内部からの騒音の伝達を押さえたり、外面から内部への熱の伝達を押さえるのに有効である。
【００３１】
図５は図４（ａ）に示した内筒３の分岐壁３ｂｂを形成する方法を示す図である。
図４（ａ）のように湾曲する前の分岐壁３ｂｂ′（図５）は、分岐前の鍔状通路壁から分かれて略半径方向に延びた形状である。また、このとき、分岐壁外周の直径は、図４（ｂ）の外筒２の内径よりも大きい。
【００３２】
湾曲してない分岐壁３ｂｂ′を図４（ａ）で符号３ｂｂで示すように湾曲させるには、所定の湾曲形状を有する金具５２を加熱機５３で加熱し、分岐壁３ｂｂ′に押し当てて所定の形状に加工する。なお、Ｘ−Ｘは内筒３の軸線である。
【００３３】
この時、所定の受け具…加熱機能を有しても良い…５１を用いると更に効果的である。
〔実施例３〕
図６（ａ）（ｂ）及び図７に示す実施例３は、前記実施例１のインテークマニホールド１に、吸気慣性効果を利用するためのロータリ弁を付設した吸気制御装置である。
【００３４】
インテークマニホールド１を構成する各要素とその機能は殆ど前記実施例１の場合と同じであるため、それらの各要素には実施例１と同一符号をつけて、その説明を省略する。
【００３５】
この実施例２では、内筒３に、第２のマニホールド通路入口３ｅが設けられている。この第２のマニホールド通路入口３ｅは図６（ｂ）に示すように、内筒３の筒状部３ａの遮断壁３ｃとマニホールド通路入口３ｄの間に設けられている。
【００３６】
１７は円筒形のロータリ弁で、内筒３の円筒形筒状部３ａの内側にわずかの隙間をもって挿入配設され、その軸１８，１９が軸受２０，２１に回動可能に軸受されている。
【００３７】
軸１８は図６（ａ）におけるロータリ弁１７の図示左端内周に取り付けられた円板状部分１８ａの中心に一体的に形成され、外筒蓋４に取り付けた軸受２０に支承されている。
【００３８】
また軸１９は、同図におけるロータリ弁１７の図示右端に設けた半径方向の３本の腕に取り付けられ、外筒３に形成された軸受２１に支承されている。軸受２１は外筒３と一体成形された半径方向に延びる３本の腕と一体に樹脂成形されている。
【００３９】
２２はダイアフラムアクチュエータで、図示されてないエンジンの排気圧力で作動し、レバー２３を介してロータリ弁１７を作動させる。
ロータリ弁１７には、図６（ｂ）に示すように、低回転時にマニホールド通路入口３ｄに連通する第１の通孔１７ｄと、高回転時にロータリ弁１７が矢印Ｂ方向つまり反時計方向に回動した時に第２のマニホールド通路入口３ｅに連通する第２の通孔１７ｅがマニホールド通路６の数だけ、マニホールド通路６の位置に合わせて設けてある。
【００４０】
従って、エンジンの低回転時にはロータリ弁１７の通孔１７ｄが図６（ｂ）に示す位置にあって、サージタンク５内の空気は第１の通孔１７ｄからマニホールド通路入口３ｄを通ってマニホールド通路６に入り、内筒３の円筒形筒状部３ａの回りをほぼ１周回して直線状通路７を経てマニホールド通路出口２ｄからエンジン１００の図示されてない対応する気筒の吸気ポートへ導かれる。このときのマニホールド通路６を流れる空気の実質的な経路は、円筒形筒状部３ａのほぼ１周分であり、長い距離である。
【００４１】
エンジンの高回転時にはダイアフラムアクチュエータ２２がロータリ弁１７を図６（ｂ）に示す位置から矢印Ｂに示すように反時計方向に回動させるため、サージタンク５内の空気は第２の通孔１７ｅから第２のマニホールド通路入口３ｅを通ってマニホールド通路６へ入り、すぐに直線状通路７を経てマニホールド通路出口２ｄからエンジン１００の図示されてない対応する気筒の吸気ポートへ導かれる。このときのマニホールド通路６を流れる空気の実質的な経路は、極めて短い。
【００４２】
こうして吸気慣性効果を利用してエンジンの出力を向上する。
なお、図６（ｂ）に示す実施例３では、ロータリ弁１７に、１気筒当り二つの通孔１７ｄと１７ｅを円周方向に離して配設したが、両通孔の間の筒状部１７ａの壁をなくして、一つの大きな通孔にしても同じ効果が得られる。
【００４３】
ところで、エンジンの低回転時に第２の通孔１７ｅと第２のマニホールド通路入口３ｅとは連通していないが、両者が図６（ｂ）に示すように近い位置にあり、しかも内筒３の筒状部３ａの内周とロータリ弁１７の外周との間に隙間があるため、低速回転時にこの隙間を介して第２の通孔１７ｅから第２のマニホールド通路入口３ｅへ空気が流入し、低回転時の吸気通路の実質的な長さが短くなり出力トルクが低下するという問題点が残される。
【００４４】
吸気通路の実質的な長さが短い高回転時には、前記隙間を介して吸気が洩れても吸気慣性効果に悪影響はないが、吸気通路の実質的な長さが長い低回転時には、前記隙間を介して吸気が洩れると吸気慣性効果が小さくなるからである。
【００４５】
そこで、かかる問題点を解消する発明として請求項４を完成させた。次の実施例４はこの発明に対応する。
〔実施例４〕
この実施例では図８〜図１０に示すように、内筒３に前記遮断壁３ｃから筒状部３ａの内側に突出し、かつ内筒３の軸方向に延びる凸条３ｆを形成すると共に、ロータリ弁１７の外周にエンジンの低回転時において前記凸条３ｆに係合する第２の凸条１７ｇを突出させてかつ軸方向に延在させて形成し、両凸条３ｆ，１７ｇの対向面を平面状にするか少なくとも一方の例えば第２の凸条１７ｇの対向面にシール用弾性部材としてのゴムシール２４を取り付けた。
【００４６】
このゴムシール２４はロータリ弁１７の軸方向に伸びていて、エンジンの低回転時にゴムシール２４が相手側である内筒３の凸条３ｆの対向面に当接してサージタンク５から第２のマニホールド通路入口３ｅへの空気の漏れを無くす。
【００４７】
従って、低回転時におけるエンジンの出力トルクの低下が防止できる。
なお、実施例４では、ロータリ弁１７の通孔１７ｆは、実施例３における通孔１７ｄと１７ｅとを連通させた程度の円周角（長さ）の一つの通孔として形成されている。
【００４８】
つまり、低回転時には第２のマニホールド通路入口３ｅがロータリ弁１７で閉じられていてサージタンク５に直接連通せず、高回転時には少なくとも第２のマニホールド通路入口３ｅがロータリ弁１７を介してサージタンク５に連通するようにロータリ弁１７の通孔１７ｆが設定されている。
【００４９】
なお、シール２４の材質はゴムに限ることはなく、シールの必要程度に応じてシール材を選べば良い。弾性変形可能な樹脂あるいはシール部材を使わないで前記両凸条同士を直接当接させても良い。
【００５０】
【発明の効果】
本発明のインテークマニホールドと吸気制御装置及びその製造方法は上述のように構成されているので、インテークマニホールドを構成する主たる部品の外筒と内筒を製作するのに中子溶融成形を用いることなく容易に樹脂成型でき軽量化とコスト低減に役立つ。
【００５１】
また、マニホールド通路が内筒の筒状部を周回する円形の通路に近いかたちで気筒の数だけ並設されるため全体をコンパクトに小形化できる割に通路長を長くとれる。そしてエンジンの高回転時には通路長を大幅に短くでき、吸気慣性効果を有効に利用してエンジンの広い回転数範囲に亘り、出力アップができる。
【００５２】
またインテークマニホールドの小形化と、外部への露出部が主として外筒の外表面だけなので表面積が低減でき、さらに外筒と内筒が一体でないので、外筒から内筒への熱伝導が抑制される。また、樹脂化の実現により断熱効果が増して吸気温度を低減でき、この面からもエンジンの出力が向上する。さらにまた、外筒と内筒構成物の間に微小空間が生じるので、これが熱伝導や、外部への騒音の伝わりをも低減する。
【００５３】
以上のことをまとめると、コンパクト化（小形化）、軽量化、低コスト化できると共にエンジンの出力向上を実現できる。
また、ロータリ弁を用いない方式の場合と、ロータリ弁を用いて吸気慣性効果を利用する場合に用いるインテークマニホールドの主要部品を共用化できる利点がある。
【００５４】
また、請求項３の発明では、更に吸気通路長が長いとき吸気管を構成する外筒と内筒のシールが向上され、吸気通路長が短いとき、少しぐらい洩れても良いので製造が楽にできる。また、外筒と内筒の位置決めを確実にすることで、吸気通路（管路）のつながり部に段差ができないため、通気抵抗が減少する。更にまた、請求項４の発明では外筒と内筒の隙間をシールすることで低回転域における出力低下を防止できる。そして、これらの事柄はエンジンの出力向上に役立つ。
【図面の簡単な説明】
【図１】本発明の実施例で（ａ）は縦断面図、（ｂ）は横断面図で図２のＢ−Ｂ断面である。
【図２】図１（ｂ）のＡ−Ａ断面視図である。
【図３】図１の実施例の要部を拡大した詳細図で、（ａ）は組立前の状態を、（ｂ）は組立後の状態を示す。
【図４】図１〜図３の実施例の一部を変形した実施例の要部を示す図で、（ａ）は内筒の一部を示す拡大縦断面図、（ｂ）は内筒を外筒に挿入した状態の一部を示す拡大縦断面図である。
【図５】図４（ａ）に示す内筒の製造方法を説明する図である。
【図６】本発明の他の実施例で、（ａ）は縦断面図、（ｂ）は横断面図で図７のＤ−Ｄ断面である。
【図７】図６（ｂ）のＣ−Ｃ断面視図である。
【図８】更に他の実施例の要部横断面図である。
【図９】図８のＥ部拡大図である。
【図１０】図８と図９の実施例に用いるロータリ弁の斜視図である。
【符号の説明】
１          インテークマニホールド
２          外筒
２ａ        筒状部
２ａ′      嵌合部
２ｄ        マニホールド通路出口
２ｄ″      マニホールド通路出口の壁の一部
３          内筒
３ａ        筒状部
３ｂ        通路壁
３ｂｂ      外周端側（分岐壁）
３ｂ′      嵌合部
３ｃ        遮断壁
３ｄ        マニホールド通路入口
３ｅ        第２のマニホールド通路入口
３ｆ        凸条
６          マニホールド通路
８          嵌合部の組み合わせ
９          嵌合部
１７        ロータリ弁
１７ｇ      第２の凸条
２４        シール用弾性部材
５２        金具
【図１】
0003558792.tif 000002
【図２】
0003558792.tif 000003
【図３】
0003558792.tif 000004
【図４】
0003558792.tif 000005
【図５】
0003558792.tif 000006
【図６】
0003558792.tif 000007
【図７】
0003558792.tif 000008
【図８】
0003558792.tif 000009
【図９】
0003558792.tif 000010
【図１０】
0003558792.tif 000011